(57)【要約】【課題】携帯電話機などの移動体通信機器のＩＣカードと携帯電話機の外部の環境、特に非接触機能式近接リーダ装置との間の直接的無線周波数電波通信を遮るようになるバッテリの金属構造体に関わる問題からの解放を可能にする無線周波数電波通信インタフェース装置を提案する。また、特に単純で低コストのインタフェース装置を提案する。【解決手段】本発明は、移動体通信機器（１）のＩＣカードコネクタに接続されるべきＩＣカード（１１）と非接触通信ネットワークとの間の通信インタフェース（１４）に関するものであって、移動体通信機器（１）の構造体の外に突出シフトされたアンテナ、および／または、突出シフト可能なアンテナ（１５）を有し、かくしてＩＣカード（１１）が移動体通信機器（１）を経由せずに非接触通信ネットワークと直接通信できるようになっていることを特徴とする通信インタフェースである。【選択図】図４
2010514306.tif 000002
【特許請求の範囲】
【請求項１】
移動体通信機器（１）のＩＣカードコネクタに接続されるべきＩＣカード（１１）と非接触通信ネットワークとの間の通信インタフェース（１４）であって、移動体通信機器（１）の構造体の外に突出シフトされたアンテナ、および／または、突出シフト可能なアンテナ（１５）を有し、かくして前記ＩＣカード（１１）が前記移動体通信機器（１）を経由せずに非接触通信ネットワークと直接通信できるようになっていることを特徴とする、通信インタフェース。
【請求項２】
フレキシブル基板（１３）を備えて、該フレキシブル基板が、一方では前記ＩＣカード（１１）と、そしてもう一方では前記突出シフトされたアンテナ（１５）の端子とを電気的に連結することを特徴とする、請求項１に記載の通信インタフェース（１４）。
【請求項３】
前記移動体通信機器（１）内に存在するＩＣカード（１１）に対し電磁誘導結合した突出シフトされたアンテナ、および／または、突出シフト可能なアンテナ（１５）を有することを特徴とする、請求項１に記載の通信インタフェース（１４）。
【請求項４】
前記突出シフトされたアンテナ、および／または、突出シフト可能なアンテナを、前記移動体通信機器（１）の構成要素のうちのいずれか一つに対して配置できることを特徴とする、請求項１に記載の通信インタフェース（１４）。
【請求項５】
前記突出シフトされたアンテナ、および／または、突出シフト可能なアンテナ（１５）を、移動体通信機器（１）の本体（３）との関係において延長移動できる機械式ガイド（１７）内に配置することができ、かくして該機械式ガイド（１７）が延長（または展開）位置にある場合に、前記突出シフトされたアンテナ（１５）は、前記移動体通信機器（１）の本体（３）により無線周波電波が妨害されることなく、前記ＩＣカード（１１）に向けられた無線周波電波を直接キャッチするようになっていることを特徴とする、請求項１〜４のいずれか一つに記載の通信インタフェース（１４）。
【請求項６】
前記突出シフトされたアンテナ（１５）が、前記ＩＣカード（１１）と非接触カードリーダ装置（２４）との間の非接触通信の際に、前記移動体通信機器（１）の本体（３）を超えて展開されるようになっているスライド式機械式ガイド（１７）と一体化されていることを特徴とする、請求項５に記載の通信インタフェース（１４）。
【請求項７】
前記ＩＣカード（１１）が接触型、および／または、非接触型であり得ることを特徴とする、請求項１〜６のいずれか一つに記載の通信インタフェース（１４）。
【請求項８】
請求項１〜７のいずれか一つに記載の通信インタフェース（１４）を有することを特徴とする、ＩＣカード（１１）を備えた移動体通信機器（１）。
【発明の詳細な説明】
【技術分野】
【０００１】
本発明は、特に移動体通信機器と共に使用するためのＳＩＭ型またはその他の型式のＩＣカード用無線周波数電波通信インタフェース装置に関するものであり、特に携帯電話機、ＰＤＡ（「Ｐｅｒｓｏｎａｌ  Ｄｉｇｉｔａｌ  Ａｓｓｉｓｔａｎｔ（携帯情報端末）」）などで利用されるのであり、また、本発明は、かかるインタフェース装置の備わった移動体通信機器にも関するものである。
【背景技術】
【０００２】
本発明の以下の記述においては、ＧＳＭネットワークまたは同等のネットワークに適合する携帯電話機の形をした移動体通信機器を一例として利用するが、当然のことながら、本発明は、携帯電話機とは異なる通信機器で、無線周波数周波数電波によるその他の通信機器にも同様に適用される。
【０００３】
携帯電話機というものは、近年世界規模で大きな成功をおさめており、かくして何十億の人々が、自分の携帯電話機をつねにたずさえている。このような情況下で、携帯電話機は、ＧＳＭネットワークまたは同等のネットワークによる携帯電話アプリケーション以外のアプリケーションを機能させることができると考えられるハードウェアおよびソフトウェアのプラットフォームの体裁をとることが増々多くなってきている。
【０００４】
かくして、携帯電話通信事業者は、すでに、電話通信アプリケーションとは無関係のありとあらゆる補足的アプリケーションを提案しているのであり、それは、例えばゲーム、デジタルカメラ、ＭＰ３型ファイルリーダ装置およびその他の娯楽アプリケーションといったようなものである。今日利用されているこれらの補足的アプリケーションの一部は、手帳管理またはデジタルカメラといったように、アプリケーションのデータを記憶するため専用のＳＩＭタイプのＩＣカードメモリまたはその他のフォーマットのカード内にある付加的メモリを利用しており、そもそもこのことが、カードのメモリ容量を数百メガオクテット以上といったように増大させることの要因になっている。しかしながら、現在の携帯電話アプリケーションにおいては、ＳＩＭカードはそのＳＩＭカード上に設置された電気接点を用いて携帯電話機と対話し、携帯電話機は、携帯電話機上に配置されたアンテナを用いて、特にＧＳＭ規格によってセルラー電話ネットワークと対話しているのである。
【０００５】
しかしながら、携帯電話機が電話通信のアプリケーションを超えたアプリケーションプラットフォームとして一般化されていることを考慮すると、ＳＩＭ型ＩＣカード内または限定的な意味なく「ＳＤカード」、「ミニＳＤカード」、「ＭＭＣカード」とも呼ばれるマルチメディアカードなどの携帯電話機内に設置された異なるフォーマットのカード内に収容されるある種のアプリケーションが携帯電話機あるいはより一般的には移動体通信機器の環境の中に置かれた非接触カードリーダ装置との直接的無線通信を活用することができると思われることから、新たなニーズが出現した。非接触ＩＣカードによる支払いアプリケーションまたはＩＤとして利用されるこれらのＩＣカードを用いた身体的なアクセス監視アプリケーションなどが、携帯電話のサービスの幅をより一層豊かにできると思われるアプリケーションの例である。ＩＣカードが、同じく非接触で機能するカードリーダ装置と非接触結合によって対話する必要があるという点において近接アプリケーションであるこれらの新しい非接触アプリケーションでは、ＩＣカードリーダ装置と例えば支払いなどといった補足的アプリケーションを収容するカードとの間の直接的な無線周波数電波通信を、それもセルラー電話ネットワークを経由することなく、確立することが必要である。
【０００６】
ところが、従来の技術による携帯電話機においては、ＩＣカードは、一般に、ＩＣカードリーダ装置として機能する携帯電話機の電気接点が前記ＩＣカードの電気接点と接触するような形で、電気接点の備わった収納部内に挿入される。そして、ＩＣカードを受入れる収納部は、携帯電話機の内部（携帯電話機の前面が携帯電話機のディスプレイおよびキーボードによって占有されていることから携帯電話機の後部カバーの役目を果たすバッテリに対面していることが最も多い）に配置されている。このようにして、実際に用いられている大部分の携帯電話機のバッテリは携帯電話機の後部面の大部分を覆っており、しかもそれは、自立して動作可能な長い電源持続時間に対するニーズにより、大容量のひいては大きなサイズのバッテリが必要となる傾向にあることからなおさらである。その上、バッテリの金属構造体、すなわち、大半がリチウム製であるバッテリの金属構造体によって、利用される無線周波数電波信号は携帯電話機の近傍にある非接触リーダ装置に向かって充分に伝播することができない。
【０００７】
この最後の点は、大量のユーザーの携帯電話機を取り替える必要がでてくることから、携帯電話機を利用する非接触型のアプリケーションの開発を著しく妨げている。
【発明の概要】
【発明が解決しようとする課題】
【０００８】
したがって、本発明の目的は、この欠点を改善し、ＩＣカードと携帯電話機の外部の環境、特に非接触機能式近接リーダ装置との間の直接的無線周波数電波通信を遮るようになるバッテリの金属構造体に関わる問題からの解放を可能にする無線周波数電波通信インタフェース装置を提案することにある。
【０００９】
本発明のもう一つの目的は、すでに導入されている全ての携帯電話機に適合可能な、特に単純で低コストのインタフェース装置を提案することにある。
【課題を解決するための手段】
【００１０】
このため、本発明は、携帯電話機のカードコネクタに接続されるべきＩＣカードおよび非接触機能式端末で構成された無線周波数電波通信インタフェース装置を目的とするものであり、該装置は、携帯電話機の構造体の外部に突出シフトされたアンテナ、および／または、突出シフト可能なアンテナを有し、かくしてＩＣカードが携帯電話機を経由せずにワイヤレスネットワークと直接通信できるようになっていることを特徴とする。
【００１１】
有利には、このインタフェースは、一方ではＩＣカードの電気接点と、そしてもう一方では突出シフトされたアンテナの端子とを連結するフレキシブル基板を有している。
【００１２】
特定の実施形態においては、突出シフトされたアンテナを、携帯電話機の本体との関係において延長移動できる機械式ガイド内に配置することができ、かくして機械式ガイドが延長（または展開）位置にある場合に、突出シフトされたアンテナは、携帯電話機の本体により妨害されることなく、ＩＣカード向けの無線周波電波を直接キャッチするようになっている。
【００１３】
好ましくは、突出シフトされたアンテナは、ＩＣカードと非接触カードリーダ装置との間の非接触通信の際に、携帯電話機の本体を超えて展開されるようになっているスライド式機械式ガイドと一体化されている。
【００１４】
もう一つの有利な解決法によると、通信インタフェースは、携帯電話機のバッテリのカバープレートの外部面上に配置され、かくして、アンテナが非接触ＩＣカードリーダ装置に由来する磁束の全てまたは一部分を、携帯電話機の本体を横断せずに、直接キャッチできるようになっている。
【００１５】
本発明は、同様に、上述のような通信インタフェースの備わった携帯電話機をもその目的としている。
【００１６】
本発明のその他の特徴および利点は、添付図面の詳細な説明を読むことで明らかになる。
【図面の簡単な説明】
【００１７】
【図１】従来技術による、例えば携帯電話機といったような移動体通信機器を縦断面図で概略的に示している。
【図２】本発明に係る通信インタフェースの第一の実施形態を平面図で示している。
【図３】携帯電話機の中に挿入された図２の通信インタフェースを縦断面図で示している。
【図４】携帯電話機の中に挿入された図２の通信インタフェースを平面図で示している。
【図５】携帯電話機の中に挿入された本発明に係る通信インタフェースのもう一つの実施形態を平面図で示している。
【発明を実施するための形態】
【００１８】
図１を参照する。この図では、本体３と、この本体３の前面に配置されたディスプレイ５と、キーボード７とが備わった移動体通信機器１である携帯電話機が縦断面図で表わされている。移動体通信機器１である携帯電話機は、本体３の後部面上に配置されたカバーの形をしたバッテリ９をさらに有している。ＳＩＭカード１１が断面図で概略的に表わされている。このカードは、カードおよび携帯電話機全体に給電するバッテリ９と、キーボード７およびディスプレイ５を担持する前面３との間に挿入される。バッテリ９のサイズが比較的大きいことを考慮すると、また無線周波電波の伝播をバッテリが妨げていることがわかっているため、ＳＩＭカード１１のメモリ内またはバッテリ付近に配置されるもう一つのメモリ内で実行される支払いタイプのアプリケーションが、携帯電話機の外部にある非接触リーダ装置と非接触で通信できないことは明白である。
【００１９】
この問題を解決するために、本出願人は、非常に単純な通信インタフェースを作り上げたのであり、一方はアプリケーションであって、バッテリによって形成されたカバーの下に置かれたメモリ内、例えばＳＩＭカード１１で実行される一つのアプリケーション、他方は非接触リーダ装置であって、携帯電話機１の外部にあり図示されていない非接触リーダ装置である、これら二つの間のリンクとなることのできるインタフェースを作り上げたのである。
【００２０】
本発明に係るこのインタフェース１４の第一の実施形態が、図２に表わされている。その原理は、ワイヤ層１３またはその他の可撓性導電体を介して携帯電話機の本体３を超えて展開できるアンテナ１５にＳＩＭカード１１またはその同等品を連結させて、アンテナ１５で発射されるか、または、それに向けられた無線周波電波がバッテリ９により妨げられることなくこのアンテナに到達できるようにすることから成る。
【００２１】
図３を参照する。ＳＩＭカード１１またはもう一つののＩＣカードと外部の非接触リーダ装置との間にワイヤレス通信が必要である場合に、要求に応じてアンテナ１５を操作できるように、アンテナ１５は、スライド式サポート１７上、例えば携帯電話機の本体の溝または適当な空間２１の中にスライドする形で取り付けられた平面フレーム上に固定される。図３に表わされているように、スライド式サポート１７は、例えば、カバー１９によって保持され、アンテナを担持するスライド式サポート１７はこのカバーの下をスライドすることができる。スライド式サポート１７が携帯電話機の本体の端部２１を超えて展開された位置で表わされている図３および図４を見ればわかるように、スライド式サポート１７ひいてはそれが担持しているアンテナ１５は、その目的で設けられた導線１３が有する長さのため携帯電話機の本体からはみ出している。アンテナ１５のこの位置においては、アンテナ１５により搬送される無線周波電波は、携帯電話機の電子部品、特にそのバッテリ９によって妨げられることなしに非接触ＩＣカードリーダ装置といったような外部の無線周波数電波通信装置と交信することができる。
【００２２】
内部ＩＣカード１１と外部の非接触カードリーダ装置との間のトランザクションが終了した時点で、ユーザーは、アンテナを担持するスライド式サポート１７をその収納部２３の中に容易に押し返すことができる。
【００２３】
本発明のさらに有利な実施形態が平面図で表わされている図５を参照する。この実施形態においては、外部の非接触リーダ装置２４と通信すべきアプリケーションを有するＩＣカードまたはＳＩＭカード１１は、例えば従来の技術において公知のダブルインタフェースＩＣカードまたはハイブリットカードなどの場合がそうであるように、それ自体が小さなアンテナ２７を備えている。このＩＣカードは、理想的には、携帯電話機内で、それがバッテリ９により覆われていないかまたは部分的にしか覆われていないゾーン内に設置され、かくして、ＩＣカードのアンテナ２７を包含する電磁束が展開位置のインタフェースのアンテナ１５をもまた包含し、ＩＣカード１１のアンテナ２７とアンテナ１５との間に相互インダクタンスを作り上げるようになっている。このようにして、この実施形態においては、図２〜４の実施形態において記述されているリンク用導線１３無しですますことができる。
【００２４】
作用については、この第二の実施形態における展開されたアンテナ１５は、非接触ＩＣカードにより発出された無線周波数電波信号を、外部の非接触リーダ装置２４に向け外部に伝送することを可能にする。この伝送は、アンテナ１５のサイズが非接触ＩＣカードのアンテナ２７のサイズよりも大きいという条件付きで、増幅すら伴って行なわれ、このことは非接触ＩＣカードと外部のリーダ装置との間の伝送の有効伝播範囲を増大させるという有利な効果をもつ。
【００２５】
本発明により提案された解決法により、既存の全ての携帯電話機がこのアプリケーションにアクセスできるようになる。
【符号の説明】
【００２６】
１  移動体通信機器
３  本体
５  ディスプレイ
７  キーボード
９  バッテリ
１１  ＩＣカード
１３  フレキシブル基板
１４  通信インタフェース
１５  アンテナ
１７  機械式ガイド
１９  カバー
２３  収納部
２４  非接触カードリーダ装置
２７  アンテナ
【図１】
2010514306.tif 000003
【図２】
2010514306.tif 000004
【図３】
2010514306.tif 000005
【図４】
2010514306.tif 000006
【図５】
2010514306.tif 000007
【国際調査報告】
2010514306.tif 000008
2010514306.tif 000009
2010514306.tif 000010
2010514306.tif 000011